(57)【要約】【課題】遊技盤の後面に設けられた複数の構成部品が独立して脱着できるようにする。【解決手段】球通路５；６；７；８；９を有する球誘導構造体２と球通路５乃至９に相当する球通路を１つも持たない部品取付構造体３とが互いに独立して脱着し得るように遊技盤１の後面に取り付けられ、後部品４が球誘導構造体２から独立して脱着し得るように部品取付構造体３に取り付けられたことによって、球誘導構造体２が遊技盤１に固定されたまま、部品取付構造体３が遊技盤１から取り外せるうえ、部品取付構造体３が遊技盤１に固定されたまま、球誘導構造体２が遊技盤１から取り外せるというように、球誘導構造体２と部品取付構造体３とが遊技盤１から互いに独立して脱着でき、後部品４が遊技盤１に固定された部品取付構造体３に固定されたまま、球誘導構造体２が遊技盤１から脱着できる。【選択図】図１
2008188260.tif 000002
【特許請求の範囲】
【請求項１】
遊技盤の前から入賞した球を遊技盤の後に導出する入賞部品と、入賞部品から遊技盤の後に導出された球を下方に誘導する通路を有する球誘導構造体と、入賞部品から遊技盤の後に導出された球を下方に誘導する通路を持たない部品取付構造体と、後部品とを備えたパチンコ遊技機の遊技盤において、球誘導構造体と部品取付構造体とが互いに独立して脱着し得るように遊技盤の後面に取り付けられ、後部品が球誘導構造体から独立して脱着し得るように部品取付構造体に取り付けられたことを特徴とするパチンコ遊技機の遊技盤。
【発明の詳細な説明】
【技術分野】
【０００１】
本発明は、遊技盤の後面に設けられた複数の構成部品が独立して脱着できるパチンコ遊技機の遊技盤に関する。
【背景技術】
【０００２】
パチンコ遊技機の遊技盤には、特許文献１および特許文献２を組み合わせることによって、遊技盤の前から入賞した球を遊技盤の後に導出する入賞部品と、入賞部品から遊技盤の後に導出された球を下方に誘導する通路を有する球誘導構造体と、後部品とを備え、球誘導構造体が上球誘導構造体と下球誘導構造体とに分割され、上球誘導構造体と下球誘導構造体とが遊技盤の後面に取り付けられ、下球誘導構造体に後部品を取り付けることが考えられる。しかしながら、図６に示すように、下球誘導構造体７１の上部の位置決定孔７２および取付部７３が上球誘導構造体７４の下部の位置決定７５および取付部７６に後から重ね合わされる構造であるので、上球誘導構造体７４が遊技盤１に固定されたまま、下球誘導構造体７１が遊技盤１から取り外せないという欠点がある。また、後部品７７が上球誘導構造体７４および下球誘導構造体７１を覆いつつ下球誘導構造体７１に固定される構造であるので、後部品７７が下球誘導構造体７１に固定されたまま、上球誘導構造体７４が遊技盤１から取り外せないという欠点がある。図６において、下球誘導構造体７１には球通路７８が設けられ、上球誘導構造体７４には球通路７９が設けられる。そして、下球誘導構造体７１および上球誘導構造体７４が互いに遊技盤１の後面に上記のように固定されることによって、球通路７８；７９が互いに１つ通路を構成する。遊技盤１の前面には、入賞部品８０が設けられる。球通路７９が入賞部品８０から遊技盤１の後に導出された球を取り込むように、上球誘導構造体７４が遊技盤１の後面に固定される。球通路７９は、入賞部品８０から遊技盤１の後に導出された球を下方の球通路７８に誘導する。球通路７８は、球通路７９から導入された球を下球誘導構造体７１の下方に排出するように誘導する。
【特許文献１】特開２００２−１１３２２３号公報
【特許文献２】特許第２５１９４５６号公報
【発明の開示】
【発明が解決しようとする課題】
【０００３】
発明が解決しようとする問題点は、上球誘導構造体および下球誘導構造体が互いに独立して脱着できず、上球誘導構造体が後部品から独立して脱着できないという点である。
【課題を解決するための手段】
【０００４】
本発明に係るパチンコ遊技機の遊技盤は、遊技盤の前から入賞した球を遊技盤の後に導出する入賞部品と、入賞部品から遊技盤の後に導出された球を下方に誘導する通路を有する球誘導構造体と、入賞部品から遊技盤の後に導出された球を下方に誘導する通路を持たない部品取付構造体と、後部品とを備えたパチンコ遊技機の遊技盤において、球誘導構造体と部品取付構造体とが互いに独立して脱着し得るように遊技盤の後面に取り付けられ、後部品が球誘導構造体から独立して脱着し得るように部品取付構造体に取り付けられたことを最も主要な特徴とする。
【発明の効果】
【０００５】
本発明に係るパチンコ遊技機の遊技盤は、球誘導構造体が遊技盤に固定されたまま、部品取付構造体が遊技盤から取り外せるうえ、部品取付構造体が遊技盤に固定されたまま、球誘導構造体が遊技盤から取り外せるというように、球誘導構造体と部品取付構造体とが遊技盤から互いに独立して脱着できるという利点がある。しかも、後部品が遊技盤に固定された部品取付構造体に固定されたまま、球誘導構造体が遊技盤から脱着できるという利点がある。
【発明を実施するための最良の形態】
【０００６】
図１乃至図４は、発明を実施するための最良の形態である。図１は、遊技盤１の後側を示す。図２は遊技盤１の前側を示す。図３は、遊技盤１、球誘導構造体２、部品取付構造体３を分解して示す。図４は、パチンコ遊技機の正面を示す。本明細書において、「前」、「後」、「左」、「右」、「上」、「下」の方向は、図４の状態に遊技機枠５１および遊技盤１を置いて図４の紙面の前側から見た場合に特定される方向である。
【０００７】
図１を参照し、遊技盤１の後側の構造について説明する。遊技盤１の後面には、球誘導構造体２、部品取付構造体３、後部品４を備える。球誘導構造体２、部品取付構造体３、後部品４は、遊技盤１の後面に設けられる複数の構成部品を構成する。球誘導構造体２は、球通路５；６；７；８；９を有する。球通路５乃至９は、遊技盤１の前面における入賞部品としての一般入賞部品２３；２４；２５；２６から個別に遊技盤１の後に導出された球を下方に誘導して排出する通路である。部品取付構造体３は、球通路５乃至９に相当する球通路を１つも持たない。後部品４は、演出表示器として構成される。そして、球誘導構造体２と部品取付構造体３とが互いに独立して脱着し得るように遊技盤１の後面に取り付けられ、後部品４が球誘導構造体２から独立して脱着し得るように部品取付構造体３に取り付けられる。
【０００８】
よって、球誘導構造体２が遊技盤１に固定されたまま、部品取付構造体３が遊技盤１から取り外せるうえ、部品取付構造体３が遊技盤１に固定されたまま、球誘導構造体２が遊技盤１から取り外せるというように、球誘導構造体２と部品取付構造体３とが遊技盤１から互いに独立して脱着でき、後部品４が遊技盤１に固定された部品取付構造体３に固定されたまま、球誘導構造体２が遊技盤１から脱着できるという利点がある。
【０００９】
後部品４としての演出表示器は、液晶表示器、ＣＲＴ表示器、有機ＥＬなどのような電気的に表示形態の変えられる画像を表示画面に表示する面表示器により構成される。遊技盤１および球誘導構造体２には、部品逃避孔１０；１１が設けられる。部品逃避孔１０は、第２特別始動部品１９の後構造部を逃げる。部品逃避孔１１は、可変入賞部品２２の後構造部を逃げる。第２特別始動部品１９の後構造部は、駆動機構や第２特別球検出器などである。第２特別始動部品１９の駆動機構は、図２の羽根３６を開閉する。第２特別球検出器は、第２特別始動部品１９に取り込まれた球を検出して第２特別始動信号を図外の主制御装置に出力する。可変入賞部品２２の後構造部は、駆動機構や可変入賞球検出器などである。可変入賞部品２２の駆動機構は、図２の開閉体３７を開閉する。可変入賞球検出器は、可変入賞部品２２に取り込まれた球を検出して可変入賞信号を主制御装置に出力する。
【００１０】
図２を参照し、遊技盤１の前側の構造について説明する。遊技盤１の前面には、ガイドレール１３、アウト口１４、発射通路１５、装飾部品１６、普通始動部品１７、第１特別始動部品１８、第２特別始動部品１９、普通確定表示器２０、特別確定表示器２１、可変入賞部品２２、一般入賞部品２３；２４；２５；２６、球戻防止弁２７、球反発体２８、図外の遊技釘などを備える。装飾部品１６は、防護部３０、窓３１、透明パネル３２、ステージ３３、ワープ通路３４を備える。
【００１１】
防護部３０は、遊技盤１の前面を流下する球が窓３１の側に侵入しないようにする部分であって、遊技盤１の前面に接触して遊技盤１の前面に固定される部分から前側に突出する。窓３１は、防護部３０の中央部に設けられ、防護部３０の前面から後に突出する周壁で囲まれた前後方向に貫通する。透明パネル３２は、窓３１の裏側に配置されかつ窓３１を塞ぐ大きさの板状により構成され、装飾部品１６に固定される。ステージ３３は、球を左右に踊らせるとともに前側から第１特別始動部品１８に向けて落下させるかまたは第１特別始動部品１８の横に向けて落下されるものであって、窓３１を仕切る防護部３０の前面から後に突出した下壁により構成される。ワープ通路３４は、防護部３０の側部に設けられ、遊技盤１の前面から流入した球をステージ３３の上に導出する。
【００１２】
普通始動部品１７は、遊技盤１の前面から流入した球を、遊技盤１の後に誘導することなく、遊技盤１の前面に導出する、所謂、チャッカと呼ばれる、通過形として構成される。普通始動部品１７には図外の普通始動球検出器が設けられる。普通始動球検出器は、普通始動部品１７を通過する球を検出して普通始動信号を主制御装置に出力する。普通始動部品１７に球が通過しても、賞球は払い出されない。
【００１３】
第１特別始動部品１８は、遊技盤１の前面から流入した球を、遊技盤１の後に導出する、所謂、ポケットと呼ばれる、取込形として構成される。第１特別始動部品１８に入賞した球を検出する第１特別始動球検出器３５は、第１特別始動部品１８に取り込まれた球を検出して第１特別始動信号を主制御装置に出力する。第１特別始動部品１８に球が入賞すると、賞球が払い出される。
【００１４】
第２特別始動部品１９は、開閉する一対の羽根３６を有し、遊技盤１の前面から流入した球を、遊技盤１の後に導出する、所謂、電チューと呼ばれる、取込形の可変入賞部品として構成される。第２特別始動部品１９には図外の第２特別始動球検出器が設けられる。第２特別始動球検出器は、第２特別始動部品１９に取り込まれた球を検出して第２特別始動信号を主制御装置に出力する。第２特別始動部品１９に球が入賞すると、賞球が払い出される。
【００１５】
普通確定表示器２０は、変動表示後の停止表示によって、普通始動部品１７への球の入りに伴う普通抽選結果の確定したことを遊技者に知らせるための確定表示を行うものである。特別確定表示器２１は、変動表示後の停止表示によって、第１特別始動部品１８または第２特別始動部品１９への球の入りに伴う特別抽選結果の確定したことを遊技者に知らせるための確定表示を行うものである。
【００１６】
可変入賞部品２２は、開閉する開閉体３７を有し、特別抽選結果としての当たりが特別確定表示器２１に確定表示された後、開閉体３７が前後に開閉する大当たり遊技を行い、開閉体３７の開放中に遊技盤１の前面から流入した球を遊技盤１の後に導出する、所謂、アタッカと呼ばれる、取込形の可変入賞部品として構成される。可変入賞部品２２に球が入賞すると、賞球が払い出される。
【００１７】
一般入賞部品２３乃至２６は、遊技盤１の前面から流入した球を、遊技盤１の後に導出する、所謂、ポケットと呼ばれる、取込形として構成される。一般入賞部品２３乃至２６に入賞した球を検出する一般入賞球検出器３８は、一般入賞部品２３に取り込まれた球を検出して一般入賞信号を主制御装置に出力する。一般入賞部品２３乃至２６のいずれか１つに球が入賞すると、賞球が払い出される。後部品４における表示画面に表示された画像は、遊技盤１の前から、装飾部品１６の窓３１および透明パネル３２を通して見える。
【００１８】
図３を参照し、遊技盤１、球誘導構造体２、部品取付構造体３、後部品４について説明する。球誘導構造体２の球通路５乃至９は、球誘導構造体２が遊技盤１の後面に固定されることによって、球を上から下に誘導する筒状を構成する。球誘導構造体２は、例えば、タッピングスクリューなどのねじ釘が球誘導構造体２に設けられた図外の貫通孔を経由して遊技盤１に締結されることによって、遊技盤１の後面に固定される。
【００１９】
球通路５は、遊技盤１の前面における左最上部の一般入賞部品２３から遊技盤１の後に導出された球を下方に誘導する。球通路６は、遊技盤１の前面における左中間の一般入賞部品２４から遊技盤１の後に導出された球を下方に誘導する。球通路７は、遊技盤１の前面における左最下部の一般入賞部品２５から遊技盤１の後に導出された球を下方に誘導する。球通路５および球通路６は、球通路７に連接される。球通路５および球通路６を流下した球は、球通路７を通り球誘導構造体２から下方に排出される。球通路７には、一般入賞球検出器３８が１個設けられる。よって、一般入賞部品２３乃至２５から個別に遊技盤１の後に導出された球は、球通路７を通過する過程において、一般入賞球検出器３８によって検出される。
【００２０】
球通路８は、遊技盤１の前面における右の一般入賞部品２６から遊技盤１の後に導出された球を下方に誘導する。球通路８には、一般入賞球検出器３９が１個設けられる。よって、一般入賞部品２６から遊技盤１の後に導出された球は、球通路８を通過する過程において、一般入賞球検出器３９によって検出される。球通路９は、遊技盤１の前面における第１特別始動部品１８から遊技盤１の後に導出された球を下方に誘導する。球通路９には第１特別始動球検出器３５が設けられる。よって、第１特別始動部品１８から遊技盤１の後に導出された球は、球通路９を通過する過程において、第１特別始動球検出器３５によって検出される。部品逃避孔４１は、図１の部品逃避孔１０における球誘導構造体２に設けられたものである。部品逃避孔４２は、図１の部品逃避孔１１における球誘導構造体２に設けられたものである。
【００２１】
部品取付構造体３の中央部には、窓４４が設けられる。後部品４としての演出表示器における表示画面４６が窓４４に対応されるように、後部品４としての演出表示器が部品取付構造体３の後部に固定される。
【００２２】
よって、球通路５が一般入賞部品２３から遊技盤１の後に導出された球を取り込むように、球通路６が一般入賞部品２４から遊技盤１の後に導出された球を取り込むように、球通路７が一般入賞部品２５から遊技盤１の後に導出された球を取り込むように、球通路８が一般入賞部品２６から遊技盤１の後に導出された球を取り込むように、球通路９が第１特別始動部品１８から遊技盤１の後に導出された球を取り込むように、球誘導構造体２が遊技盤１の後面に固定される。また、部品取付構造体３の窓４４が装飾部品１６の窓３１と対応するように、部品取付構造体３が遊技盤１の後面に固定される。また、後部品４としての演出表示器における表示画面４６が窓４４に対応するように、後部品４としての演出表示器が部品取付構造体３の後部に固定される。これによって、図１に示すように、遊技盤１の後面には、球誘導構造体２、部品取付構造体３、後部品４が設けられる。
【００２３】
図４を参照し、パチンコ遊技機について説明する。パチンコ遊技機の遊技機枠５１は、遊技機設置構造体に設置される。遊技機設置構造体は、遊技店のパチンコ遊技機を設置する島とも呼ばれる設備である。遊技機枠５１の前部には、窓５２と前面パネル５３と球皿５４および球発射操作機構５５が設けられる。窓５２は、前後方向への貫通孔として形成される。前面パネル５３は、窓５２を後から閉鎖するガラスのような無色の光透過性の有る材料から構成される。球皿５４は、パチンコ球と呼ばれる球を入れる容器として設けられる。球発射操作機構５５は、遊技者の操作量に応じた出力を図外の発射制御装置に出力する可変抵抗器などの電気部品を有する機構である。遊技機枠５１の内部は、球発射機構５６および遊技盤１が設けられる。球発射機構５６は、発射制御装置からの制御によって球発射操作機構５５の操作量に応じた発射力で駆動する機構である。
【００２４】
遊技盤１が遊技機枠５１に交換可能に格納された場合、遊技領域５７、ガイドレール１３、アウト口１４、装飾部品１６、普通始動部品１７、第１特別始動部品１８、第２特別始動部品１９、普通確定表示器２０、特別確定表示器２１、可変入賞部品２２、一般入賞部品２３、羽根３６、開閉体３７、表示画面４６が、遊技機枠５１の前から窓５２および前面パネル５３を通して視認可能になる。遊技領域５７は、球発射機構５６から発射された球の飛び交う領域として、前面パネル５３と遊技盤１の前面との間におけるガイドレール１３で囲まれた部分として形成される。
【００２５】
羽根３６や開閉体３７が閉じており、遊技者が球皿５４にパチンコ球と呼ばれる球を入れて球発射操作機構５５を操作すると、球発射操作機構５５が操作量に相当する可変抵抗値を発射制御装置に出力し、発射制御装置が入力された可変抵抗値に応じた発射力で球発射機構５６を駆動し、球発射機構５６が球皿５４から遊技機枠５１の内部に取り込まれた球を１個ずつ発射通路１５に向けて発射する。発射通路１５を上昇した球は、球戻防止弁２７を押し開けて遊技領域５７に放出される。
【００２６】
遊技領域５７に到達した球は、遊技領域５７を流下する過程において、装飾部品１６、普通始動部品１７、第１特別始動部品１８、第２特別始動部品１９、可変入賞部品２２、一般入賞部品２３乃至２６などの遊技部品に衝突して、流れる方向を変えながら、普通始動部品１７または第１特別始動部品１８または第２特別始動部品１９または一般入賞部品２３乃至２６のいずれかに入る。普通始動部品１７または第１特別始動部品１８または第２特別始動部品１９または一般入賞部品２３乃至２６のいずれにも入らないで、遊技領域５７の最下部に到達した球は、アウト口１４から遊技盤１の後に排出される。
【００２７】
遊技領域５７を流下する球が普通始動部品１７に入り、主制御装置における内部抽選による普通抽選によって普通当たりが選出されると、主制御装置が第２特別始動部品１９の駆動機構を制御し、第２特別始動部品１９の羽根３６が遊技盤１の前面と平行する左右方向に開閉する。羽根３６の開放中は、球が遊技領域５７から第２特別始動部品１９に入りやすくなる。羽根３６の閉鎖中は、球が羽根３６の開放中よりも遊技領域５７から第２特別始動部品１９に入りにくいか、または、球が遊技領域５７から第２特別始動部品１９に入らない、２つの態様を構成することができるが、図１では、球が羽根３６の開放中よりも遊技領域５７から第２特別始動部品１９に入りにくいものの、入る可能性の有る１つの態様を例示する。
【００２８】
遊技領域５７を流下する球が第１特別始動部品１８または第２特別始動部品１９に入り、主制御装置における内部抽選による特別抽選によって特別抽選当たりが選出されると、主制御装置が可変入賞部品２２の駆動機構を制御し、開閉体３７が遊技盤１の前面と直交する前後方向に開閉する。開閉体３７の開放中は、球が遊技領域５７から可変入賞部品２２に入る可能性がある。開閉体３７の閉鎖中は、球が遊技領域５７から可変入賞部品２２に入らない。
【００２９】
遊技領域５７を流下する球が一般入賞部品２３乃至２６または第２特別始動部品１９または可変入賞部品２２のいずれかに入ると、一般入賞信号または第２特別始動信号または可変入賞信号のいずれかの入賞に対応した個数の球を払い出すように主制御装置が図外の球払出機構を制御し、球払出機構が賞球としての球を遊技者に払い出すべく球皿５４に払い出す。
【産業上の利用可能性】
【００３０】
図５は、発明を実施するための異なる形態に係る遊技盤１の後側を示す。遊技盤１の前面には、一般入賞部品６１が部品取付構造体３よりも左に位置して設けられ、一般入賞部品６２が部品取付構造体３よりも右に位置して設けられる。球誘導構造体２には、球通路６３；６４が設けられる。球通路６３には、一般入賞球検出器６５が設けられる。球通路６４には、一般入賞球検出器６６が設けられる。そして、球通路６３が一般入賞部品６１から遊技盤１の後に導出された球を取り込むように、球通路６４が一般入賞部品６２から遊技盤１の後に導出された球を取り込むように、球誘導構造体２が遊技盤１の後面に固定される。一般入賞球検出器６５が一般入賞部品６１から遊技盤１の後に導出された球を検出して一般入賞信号を主制御装置に出力し、一般入賞球検出器６６が一般入賞部品６２から遊技盤１の後に導出された球を検出して一般入賞信号を主制御装置に出力する。
【００３１】
後部品４は、制御装置またはカバーなどであってもよい。
【図面の簡単な説明】
【００３２】
【図１】遊技盤の裏面図（最良の形態）。
【図２】遊技盤の正面図（最良の形態）。
【図３】遊技盤、球誘導構造体、部品取付構造体の分解斜視図（最良の形態）。
【図４】パチンコ遊技機の正面図（最良の形態）。
【図５】遊技盤の裏面図（異なる形態）。
【図６】遊技盤の裏面図（従来）。
【符号の説明】
【００３３】
１は遊技盤、２は球誘導構造体、３は部品取付構造体、４は後部品、５乃至９は球通路、１０は部品逃避孔、１１は部品逃避孔、１２は欠番、１３はガイドレール、１４はアウト口、１５は発射通路、１６は装飾部品、１７は普通始動部品、１８は第１特別始動部品、１９は第２特別始動部品、２０は普通確定表示器、２１は特別確定表示器、２２は可変入賞部品、２３乃至２６は一般入賞部品、２７は球戻防止弁、２８は球反発体、２９は欠番、３０は防護部、３１は窓、３２は透明パネル、３３はステージ、３４はワープ通路、３５は第１特別始動球検出器、３６は羽根、３７は開閉体、３８；３９は一般入賞球検出器、４０は欠番、４１は部品逃避孔、４２は部品逃避孔、４３は欠番、４４は窓、４５は欠番、４６は表示画面、４７乃至５０は欠番、５１は遊技機枠、５２は窓、５３は前面パネル、５４は球皿、５５は球発射操作機構、５６は球発射機構、５７は遊技領域、５８乃至６０は欠番、６１は一般入賞部品、６２は一般入賞部品、６３；６４は球通路、６５；６６は一般入賞球検出器、６７乃至７０は欠番、７１は下球誘導構造体、７２は位置決定孔、７３は取付部、７４は上球誘導構造体、７５は位置決定、７６は取付部、７７は後部品、７８；７９は球通路、８０は入賞部品。
【図１】
2008188260.tif 000003
【図２】
2008188260.tif 000004
【図３】
2008188260.tif 000005
【図４】
2008188260.tif 000006
【図５】
2008188260.tif 000007
【図６】
2008188260.tif 000008